(57)【要約】      （修正有）【課題】伸長させた後に不用意に縮小しないようにした伸縮自在なカーテンレールを提供する。【解決手段】内側レール４の内面には多数の係合溝３ｂを有する固定板３が取り付けられ、外側レール２内には先端に係合溝３ｂと係合する係合部を備えたストッパーコマ１１が自重により揺動可能に配設されている。カーテンレール１の通常姿勢においてはストッパーコマ１１の先端が係合溝３ｂ側へ揺動し、内側レール４を引出し時には先端は係合溝３ｂと係合することなく伸長を可能とし、押込み時には先端が係合溝３ｂに係合して内側レール４の移動を阻止する。そして、カーテンレール１を上下反転させると先端が係合溝３ｂから離れる方向に揺動し、内側レール４の引き出しと押し込みの何れもが可能になる。【選択図】図１
0003211059.tif 000002
【実用新案登録請求の範囲】
【請求項１】
外側レールの内側に入れ子式に収容された内側レールを前記外側レールから出入することによって長さ調整可能とされた伸縮自在のカーテンレールにおいて、
前記内側レールの長手方向に沿って配置された固定板であって、所定の間隔を有して複数の係合溝が設けられた固定板と、
前記外側レールに設けられたストッパであって、前記係合溝と係合し又は解除することにより長さ調整を行うストッパと、
を備え、
前記ストッパは、
先端に前記係合溝と係合する係合部を備えたストッパーコマが自重によって揺動可能にストッパ本体に取り付けられ、前記ストッパーコマを前記固定板の上方側に位置させた状態では前記ストッパーコマの先端が前記係合溝側に近接方向に揺動し、前記内側レールを前記外側レールから引き出した場合には前記ストッパーコマの先端は前記係合溝と係合することなく前記内側レールの伸長を可能とすると共に、前記内側レールを前記外側レール内へ押し込んだ場合には前記ストッパーコマの先端が前記係合溝と係合して前記内側レールの移動を阻止し、一方、前記ストッパーコマを前記固定板の下方側に位置させた状態では前記ストッパーコマは当該ストッパーコマの先端が前記係合溝と離れる方向に揺動し、前記内側レールの引き出し及び押し込みのいずれも許容するように形成されたことを特徴とする伸縮自在のカーテンレール。
【請求項２】
請求項１に記載の伸縮自在のカーテンレールにおいて、
前記ストッパーコマの前記係合部は、先端が鈍角状に折り曲げて形成されていることを特徴とする伸縮自在のカーテンレール。
【請求項３】
請求項１又は２に記載の伸縮自在のカーテンレールにおいて、
前記ストッパーコマは、前記ストッパ本体に設けられた軸に揺動可能に取り付けられていることを特徴とする伸縮自在のカーテンレール。
【請求項４】
請求項１から３のいずれか１項に記載の伸縮自在のカーテンレールにおいて、
前記内側レール又は前記外側レールの少なくとも一端側に弾性部材によって取り付け面側へ付勢する付勢機構が設けられていることを特徴とする伸縮自在のカーテンレール。
【考案の詳細な説明】
【技術分野】
【０００１】
本考案は、伸縮自在なカーテンレールに関し、さらに詳しくは、伸長させた後にその長さを保持しつつ押圧力によって壁面等に固定可能な伸縮自在なカーテンレールに関する。
【背景技術】
【０００２】
窓にカーテンレールを取り付けるに際しては窓の大きさに合わせて自在に伸縮する伸縮式のカーテンレールが提供されている。伸縮式カーテンレールを用いることによりカーテンレールを切断することなく簡単に取り付けることができる。また、両側が壁になっているような場合には、ネジ等の固定具を用いることなく自身の押圧力によって固定が可能なテンション式のカーテンレール（「突っ張り杆」ともいう。）も提供されている。テンション式のカーテンレールは取り付が簡単で且つネジ等で壁を傷つけることがないという利点がある。このようなテンション式カーテンレールは、大と小の外径の異なるパイプを入れ子式に組み合わせて伸縮自在に構成すると共に、パイプ内に実装したバネによりカーテンレールの両端を壁等に強力に押し付けて落下を防止する構造になっている。そのような伸縮式のカーテンレールとしては、例えば、特許文献１，２がある。
【０００３】
また、本出願人は、図５に示すようなテンション式カーテンレールを開発し、提供を行っている。このテンション式カーテンレール１００は、図５（ａ），（ｂ）に示すように、角筒状の外側レール１０１に内側レール１０２が入れ子式に組み合わされて伸縮自在に構成されている。そして、外側レール１０１の一端側には長手方向に溝幅が段階的に変化している溝１０３を備えたストッパ１０４が配置され、内側レール１０２には一定の間隔の横溝１０５が長手方向に沿って形成された係合プレート１０６が取り付けられている。そして、ストッパ１０４には、周面に歯車状の溝１０７が形成された円筒状のストッパーローラ１０８が配置されている。尚、内側レール１０２の他端には壁などの取り付け面へ付勢するコイルバネを備えた図示しない固定機構が設けられている
【０００４】
このような構成のテンション式カーテンレール１００を壁面間に取り付けるには、カーテンレール１００のランナー取り付け側を下にした状態で取り付けるべき壁面の間の長さよりもやや長い長さになるように内側レール１０２を引き出す。このときストッパ１０４はストッパーローラ１０８に接触していないので、ストッパーローラ１０８は自由に回転して内側レール１０２の引き出しが可能となる。内側レールを引き出した状態で全体の長さを短くするために内側レール１０２を外側レール１０１内へ押し込んだ場合、ストッパ１０４の溝１０３部分がストッパーローラ１０８の溝１０７に噛合してストッパーローラ１０８の回転が阻止され、ストッパーローラ１０８と噛合する係合プレート１０６も動かなくなることで内側レール１０２の押し込みが阻止される。つまり、長くすることは許容するが、短くすることが禁止される。
【０００５】
そして、テンション式カーテンレール１００の長さを所定の長さに調整したら、内側レール１０２の端部を押し縮めるようしにて壁面の間に配置する。そして、手を離せば図示しないコイルバネが伸長して内側レール１０２の図示しないエンドキャップを壁面に押圧することでカーテンレール１００が壁面間にしっかりと固定される。尚、カーテンレール１００を伸ばし過ぎてしまい、短くする必要がある場合には、カーテンレール１００を上下反転、すなわち、ランナー取り付け側を上にした状態にするとストッパーローラ１０８の溝１０７がストッパ１０４の溝１０３に噛合しないので内側レール１０２を外側レール１０１に押し込むことができ、長さを短くすることができる。
【先行技術文献】
【特許文献】
【０００６】
【特許文献１】特許第２７４３１５８号公報
【特許文献２】特許第３２３３９０５号公報
【考案の概要】
【考案が解決しようとする課題】
【０００７】
図５に示すテンション式カーテンレール１においては、長さを短くするために上下反転させた状態でやや強い力で内側レール１０２を押し込もうとするとストッパーローラ１０８の解除動作がスムーズに行われず、噛合状態のままとなってしまう場合があり、長さを短くすることができない場合があった。また、内側レール１０２を勢いよく引っ張ってしまうと内側レール１０２が外側レール１０１から抜け出てしまう場合があり、この場合ストッパーローラ１０８が固定されていないので分離してしまい、元の状態に戻すのが面倒であった。
【０００８】
そこで、本考案は、以上の事情に鑑みてなされたものであり、内側レールの伸長及び押込をスムーズに行うことができ、内側レールが外側レールから万一抜け出た場合でも容易に元の状態に戻すことができ、壁面間に確実に取り付けることが可能な伸縮自在なカーテンレールを提供することを目的とする。
【課題を解決するための手段】
【０００９】
上記課題を解決するために請求項１に記載の本考案は、外側レールの内側に入れ子式に収容された内側レールを前記外側レールから出入することによって長さ調整可能とされた伸縮自在のカーテンレールにおいて、前記内側レールの長手方向に沿って配置された固定板であって、所定の間隔を有して複数の係合溝が設けられた固定板と、前記外側レールに設けられたストッパであって、前記係合溝と係合し又は解除することにより長さ調整を行うストッパとを備え、前記ストッパは、先端に前記係合溝と係合する係合部を備えたストッパーコマが自重によって揺動可能にストッパ本体に取り付けられ、前記ストッパーコマを前記固定板の上方側に位置させた状態では前記ストッパーコマの先端が前記係合溝側に近接方向に揺動し、前記内側レールを前記外側レールから引き出した場合には前記ストッパーコマの先端は前記係合溝と係合することなく前記内側レールの伸長を可能とすると共に、前記内側レールを前記外側レール内へ押し込んだ場合には前記ストッパーコマの先端が前記係合溝と係合して前記内側レールの移動を阻止し、一方、前記ストッパーコマを前記固定板の下方側に位置させた状態では前記ストッパーコマは当該ストッパーコマの先端が前記係合溝と離れる方向に揺動し、前記内側レールの引き出し及び押し込みのいずれも許容するように形成されたことを特徴とする。
【００１０】
上記課題を解決するために請求項２に記載の本考案は、請求項１に記載の伸縮自在のカーテンレールにおいて、前記ストッパーコマの前記係合部は、先端が鈍角状に折り曲げて形成されていることを特徴とする。
【００１１】
上記課題を解決するために請求項３に記載の本考案は、請求項１又は２に記載の伸縮自在のカーテンレールにおいて、前記ストッパーコマは、前記ストッパ本体に設けられた軸に揺動可能に取り付けられていることを特徴とする。
【００１２】
上記課題を解決するために請求項４に記載の本考案は、請求項１から３のいずれか１項に記載の伸縮自在のカーテンレールにおいて、前記内側レール又は前記外側レールの少なくとも一端側に弾性部材によって取り付け面側へ付勢する付勢機構が設けられていることを特徴とする。
【考案の効果】
【００１３】
本考案に係る伸縮自在なカーテンレールによれば、複数の係合溝が設けられた固定板と自重で揺動するストッパーコマを設けたので噛合と解除が確実に動作し、カーテンレールに取り付けられたランナーが下側に位置する状態では任意の長さに伸ばすことができるが短くすることが確実に阻止され、また、ランナーを上側に位置する状態、すなわち、カーテンレールを上下反転させたときには内側レールを長くしたり短くしたりする動作をスムーズに行うことができるという効果がある。また、内側レールが外側レールから抜け出てしまった場合でも容易に元に戻すことができるという効果がある。さらに、付勢機構により、止め具等を用いることなく壁面の間にしっかりと取り付けることができるという効果がある。
【図面の簡単な説明】
【００１４】
【図１】本考案に係る伸縮自在なカーテンレールの一実施形態を示し、（ａ）は平面図、（ｂ）はＡ−Ａ矢視断面図、（ｃ）は正面図である。
【図２】内側レールに取り付けられている固定板の詳細を示し、（ａ）は平面図、（ｂ）は側面図である。
【図３】（ａ）はストッパーコマの斜視図、（ｂ）はストッパーコマの正面図、（ｃ）はストッパ本体の構成を示す斜視図、（ｄ）は軸を示す斜視図である。
【図４】（ａ）はーテンレールを通常の状態に位置させたときのストッパーコマの状態を示す断面図、（ｂ）は（ａ）に対してカーテンレールを上下反転させたときのストッパーコマの状態を示す断面図である。
【図５】従来の伸縮自在なカーテンレールの主要部を示し、（ａ）は外側レールの底面図、（ｂ）はストッパーローラを外した状態の底面図である。
【考案を実施するための形態】
【００１５】
以下、本考案に係る伸縮自在なカーテンレールについて図面を参照しつつ詳細に説明する。図１は本考案に係る伸縮自在なカーテンレールの一実施形態を示し、（ａ）は平面図、（ｂ）はＡ−Ａ矢視断面図、（ｃ）は正面図である。
【００１６】
［伸縮自在なカーテンレールの構成］
本考案に係る伸縮自在なカーテンレール（以下、単に「カーテンレール」という。）１は、概略として、金属製で所定の長さを有した角筒状の外側レール２と、金属製で所定の長さを有し、一方端側から外側レール２に伸縮自在に入れ子式に挿入される角筒状の内側レール４と、内側レール４が挿入される側とは反対側の外側レール２の端部に装着されるエンドキャップ５と、外側レール２に挿入される側とは反対側の内側レール４の端部に装着されるエンドキャップ６と、エンドキャップ６の近傍の内側レール４に配置され、レバー７を回動させることにより内蔵された弾性部材としてのコイルバネ８を圧縮させてエンドキャップ６を付勢する付勢機構９を備えて構成されている。尚、図１（ｂ），（ｃ）においては１つのランナー１０のみを示しているが、実際には、カーテンに取り付けられたフックを吊下するための複数のランナーが取り付けられている。
【００１７】
［内側レール側の構成］
図２は内側レールに取り付けられている固定板の詳細を示し、（ａ）は平面図、（ｂ）は側面図である。図２（ａ）に示すように、固定板３は、金属製の長板３ａに一定間隔に設けられた長方形の開口による多数の係合溝３ｂ，３ｂが設けられた梯子型に形成されている。そして、固定板３は内側レール４の底面に長手方向に沿って敷設されている。尚、係合溝３ｂ，３ｂは開口とせずに凹状に形成してもよい。この係合溝３ｂ，３ｂによって後述するストッパーコマ１１が係合する係合片３ｃ，３ｃが形成される。また、固定板３は、図２（ｂ）に示すように、中央部分が僅かに盛り上がった断面円弧状に形成されている。これにより、係合片３ｃ、３ｃとストパーコマ１１との係合が確実なものとされる。さらに、固定板３の一方側端とエンドキャップ６との間には、図１（ａ）に示すように、内側レール４の内壁に固定された固定部材９ａと、固定部材９ａとエンドキャップ６との間に配設されて両者間を微動する可動部材９ｂと、可動部材９ｂによって押圧されるコイルバネ８を含んで構成される付勢機構９が配設されている。可動部材９ｂはレバー７によって前後に微動するようになっている。また、コイルバネ８はエンドキャップ６側に設けられた凹部に収容されており、コイルバネ８の先端側はエンドキャップ６の内側に当接するようになっている。そして、レバー７を図１（ａ）の矢印Ｂ方向へ回動させると可動部材９ｂが図１（ａ）の左側へ微動してコイルバネ８を押圧することによりエンドキャップ６が付勢されて壁面に押し当てられる。これによりカーテンレールは壁面間に強固に固定することができる。
【００１８】
［外側レール側の構成］
次に、外側レール２の構成について説明する。外側レール２は、内側レール４を内部に収容可能に形成され、内側レール４が挿入される側の外側レール２の近傍の内部には、ストッパーコマ１１と、ストッパーコマ１１を支持するストッパ本体１３が配置されている。ここで、図３（ａ）はストッパーコマの斜視図、（ｂ）はストッパーコマの正面図、（ｃ）はストッパ本体の構成を示す斜視図、（ｄ）は軸を示す斜視図である。
【００１９】
ストッパ本体１３は、図３（ｃ）に示すように、外側レール２内に内装可能に全体として箱型に形成されて外側レール２の天井面側に配置固定されている。ストッパ本体１３の一方端側にはストッパーコマ１１を収納する凹部１３ａが設けられ、その両側壁にはそれぞれ軸孔１３ｂ，１３ｂが穿設され、この軸孔１３ｂ、１３ｂに軸１２が取り付けられている。そして、この軸１２にストッパーコマ１１が揺動可能に取り付けられる。
【００２０】
ストッパーコマ１１は、図３（ａ），（ｂ）に示すように、先端１１ａ側が屈曲した係合部１１ｃを備え、係合部１１ｃの先端１１ａが固定板３の係合溝３ｂ，３ｂの１つに係合又は離脱するようになっており、これにより外側レール２と内側レール４との間の伸縮状態の固定及び解除が行われる。係合部１１ｃの折り曲げ角度は９０°よりも大きな角度とされている。また、ストッパーコマ１１の他方の側は略菱形に形成され、略菱形の内部の空間部１１ｂ内に軸１２が挿通される。尚、軸１２は上述のようにストッパ本体１３を横断するようにして取り付けられる。そして、軸１２はストッパーコマ１１の係合部１１ｃ側が自重で下方へ下がる位置に配置されている。
【００２１】
これにより、カーテンレール１をランナー１０が下になるような状態（図１（ｂ），（ｃ）の状態）として内側レール４を外側レール２から引き出した場合、すなわち固定板３を図４（ａ）における左側に移動させた場合には係合部１１ｃの先端１１ａは係合片３ｃ，３ｃと接触はするが軸１２を中心に時計回り方向に跳ねるように揺動するので両者が係合することはない。その結果、内側レールをスムーズに引き出すことができ、カーテンレール１を所望の長さに調整することができる。これに対し、この状態において内側レール４を外側レール２内に押し込んで縮めようとした場合、すなわち、固定板を図４（ａ）における右側へ移動させた場合には係合部１１ｃの先端１１ａが係合片３ｃ，３ｃと接触し、ストッパーコマ１１は軸１２を中心に反時計回り方向に回動しようとするので係合部１１ｃの先端１１ａが係合片３ｃ，３ｃとしっかりと係合する。従って、内側レール４を押し縮めることが阻止される。
【００２２】
一方、ランナー１０を上にした状態、すなわち、カーテンレール１を図１（ｂ），（ｃ）の状態から上下反転させた状態とした場合には、ストッパーコマ１１の係合部１１ｃが軸１２を中心に自重で下側に下がり、先端１１ａが固定板３の係合溝３ｂから離脱してロック状態が解除される（図４（ｂ）参照）。そのため、固定板を図４（ｂ）における左右のいずれの方向へ移動させても係合部１１ｃの先端１１ａが係合片３ｃ，３ｃと係合することがない。これにより、内側レール４は外側レール２の内部に収納することができ、カーテンレール１を短くすることができる。尚、いうまでもないが、この状態で内側レールを引き出すことはもちろん可能である。
【００２３】
［カーテンレールの取り付け方法］
次に、上述したカーテンレール１の取り付け方法について説明する。まず、カーテンレール１をランナー１０が取り付けられている面側が下になるような状態、即ち、図１（ｂ），（ｃ）に示す位置状態にし、この状態のまま内側レール４を取り付ける壁面間より僅かに長い長さまで外側レール２から引き出す。このとき、固定板３は図４（ａ）における左側へ移動するので係合部１１ｃの先端１１ａは係合片３ｃの移動によって軸１２を中心に時計回り方向へ揺動しながら上方に跳ね上げられるので内側レール４の引き出しが可能となる。内側レール４を引き出した後に外側レール２内へ戻そうとしても固定板３はストッパーコマ１１の先端１１ａが係合溝３ｂに落ち込み、係止片３ｃは図４（ａ）における右側へ移動するので掛止部１１ｃの先端１１ａが係止片３ｃと係合してロック状態となり、カーテンレール１の縮小は阻止される。
【００２４】
内側レール４を所定の長さまで引き出したらカーテンレール１を取り付け場所の壁面間に配置する。このとき、エンドキャップ６側を押圧してコイルバネ８を押し縮めるようにして壁面間に配置する。尚、カーテンレール１は短くなる方向での内側レール４の移動はストッパーコマ１１の先端１１ａと係合片３ｃの係合により阻止されているので内側レール４が外側レール２側へ後戻りすることはない。次に、レバー７を図１（ａ）の矢印Ｂ方向へ回動する。すると、付勢機構９の可動部材９ｂが外側レール２と内側レール４とが離間するように図１（ｂ）の左側へ微動してコイルバネ８がエンドキャップ６をさらに壁面に強く押し当てる。これにより、カーテンレール１は壁面間にしっかりと固定され、図示しないカーテンを取り付けた状態でも落下することがない。
【００２５】
尚、上述の内側レール４を所定の長さまで引き出す際に必要以上に伸ばしすぎた場合には、カーテンレール１をランナー１０側が上になるように、図１（ｂ），（ｃ）の状態から上下逆さまにする。つまり、ストッパーコマ１１が固定板３の下方に位置するようにする。すると、図４（ｂ）に示すように、ストッパーコマ１１の先端１１ａがその自重によって回動して固定板３の係合溝３ｂから離脱する。これにより、内側レール４と外側レール２との間のロック状態が解除され、内側レール４は外側レール２に対して伸ばすことも縮小することも自由になる。
【００２６】
本実施形態に係るカーテンレール１によれば、ストッパーコマ１１を固定板３の上方に位置させた状態ではストッパーコマ１１の先端１１ａが自重で係合溝３ｂ側に方向に揺動し、内側レール４を外側レール２から引き出したときにはストッパーコマ１１の先端１１ａは係合溝３ｂと係合することなく内側レール４の伸長を可能とし、また、内側レール４を外側レール２内へ押し込んだときにはストッパーコマ１１の先端１１ａが係合片３ｃと係合して内側レール４の移動を阻止し、一方、ストッパーコマ１１を固定板３の下方に位置させた状態ではストッパーコマ１１の先端１１ａは自重で係合溝３ｂと離れる方向に揺動し、内側レール４の引き出し及び押し込みのいずれも可能としているので、通常使用の状態では内側レール４と外側レール２を伸ばす方向にのみ機能し、カーテンレールを裏返せば伸縮が自由に行えるという効果がある。しかも、係合溝３ｂを梯子状に形成したので上記動作が確実に実行されるのでスムーズな長さ調整が可能となる。
【００２７】
また、ストッパーコマ１１の先端１１ａを鈍角状に折り曲げて形成したので、内側レールを引き出す際には先端１１ａが固定板３の係合片３ｃと係合することなく内側レールの移動を許容し、内側レール４を押し込んだ場合には先端１１ａが確実に係合片３ｃと係合するので内側レール４の移動を阻止することができる。
【００２８】
また、ストッパーコマ１１は、ストッパ本体１３に軸支された軸１２に揺動可能に取り付けられていることにより、先端１１ａの係合溝３ｂへの落とし込み又は離脱が確実に行われ、外側レール２と内側レール４とのロック状態又はアンロック状態が形成される。万一、内側レール４が外側レール２から抜け出てしまった場合でも他に分離する部品がないので容易に元に戻すことができる。
【００２９】
さらに、内側レール２又は外側レール４の少なくとも一端側にコイルバネ８による弾性部材によって取り付け面側へ付勢する構造を備えているのでカーテンレール１を壁面間に取り付けた後でレバー７を回動させるのみで、カーテンレール１を壁面間等にさらに強固に固定することができる。
【００３０】
尚、本考案は、上記各実施例に限定されず、本考案の技術思想を逸脱あるいは変更しない範囲内で種々な変形が可能である。
【符号の説明】
【００３１】
１      カーテンレール
２      外側レール
３      固定板
３ａ    長板
３ｃ    係合片
４      内側レール
５      エンドキャップ
６      エンドキャップ
７      レバー
８      コイルバネ
９      付勢機構
９ａ    固定部材
９ｂ    可動部材
１０    ランナー
１１    ストッパーコマ
１１ａ  先端
１１ｂ  空間部
１１ｃ  係合部
１２    軸
１３    ストッパ本体
１３ａ  凹部
１３ｂ  軸孔
【図１】
0003211059.tif 000003
【図２】
0003211059.tif 000004
【図３】
0003211059.tif 000005
【図４】
0003211059.tif 000006
【図５】
0003211059.tif 000007